(57)【特許請求の範囲】
【請求項１】
情報が記載され、送付することにより当該情報を伝達する通信シートであって、
所定の下シートと、この下シートに積層される中間層と、この中間層に積層される上シートとによって一枚物のシート本体が形成され、
前記シート本体は、所定の折り位置を境にして少なくとも二つ折りされるように構成され、
前記シート本体の折り位置を境にした一方側の中間層は、前記上下のシートを剥離可能に粘着する透明な粘着剤層を含むものであるとともに、同他方側の中間層は、前記上下のシートを剥離不能に接着する接着剤層であり、
前記シート本体の前記折り位置を境にした他方側で情報記載部が形成される一方、同一方側で前記情報記載部の情報記載面を被覆するための被覆部が形成され、
前記一方側における上下のシートのいずれかを前記粘着剤層から剥離した状態で前記折り位置を境にして前記シート本体を折り重ねることにより、前記被覆部が前記粘着剤層を介して前記情報記載面を被覆することを特徴とする通信シート。
【請求項２】
前記シート本体は、１箇所の前記折り位置を境にして二つ折りされるものであり、
前記被覆部の上下のシートには、それらの対向面にそれぞれ当該上下のシートに剥離不能で、かつ、前記粘着剤層に対し剥離可能な第１および第２剥離層が積層され、
前記第１剥離層と前記粘着剤層との間の粘着力をＦ１、
前記第２剥離層と前記粘着剤層との間の粘着力をＦ２、
前記第１剥離層が前記粘着剤層から剥離されることによって前記被覆部に対応する上シートが粘着剤層から外され、かつ、シート本体が二つ折りされることによって粘着剤層が前記情報記載部に対応する上シートに粘着された状態における粘着剤層と上シートとの粘着力をＦ３とした場合、
Ｆ３＞Ｆ２＞Ｆ１
の関係が成立し、
前記第１および第２剥離層は、前記粘着剤層から一旦剥離された後は、再粘着不能であることを特徴とする請求項１記載の通信シート。
【請求項３】
前記上シートには、前記情報記載部と前記被覆部との境界位置にミシン目が設けられていることを特徴とする請求項１または２記載の通信シート。
【請求項４】
前記下シートの表面側であって、少なくとも前記粘着剤層に対応した部分には、透かし防止のための隠蔽デザイン模様が印刷されていることを特徴とする請求項２または３記載の通信シート。
【請求項５】
往復葉書として利用されることを特徴とする請求項１乃至４のいずれかに記載に通信シート。
【請求項６】
情報が記載され、送付することにより当該情報を伝達する通信シートであって、  所定の下シートと、この下シートに積層される中間層と、この中間層に積層される上シートとによって一枚物のシート本体が形成され、  前記シート本体は、２箇所の折り位置を境にしてつづら折りで三つ折りされ、 被覆部、情報記載部および剥離シート部が間に折り位置を挟みかつ剥離シート部が前記情報記載部と隣接するように設けられ、  前記剥離シート部の前記中間層は、上下のシートを剥離可能に粘着し得る透明な粘着剤層と、この粘着剤層を挟み前記粘着剤層に対し剥離可能な第１および第２剥離層とを有するものであり、前記情報記載部及び前記被覆部の中間層は、前記上下のシートを剥離不能に接着する接着剤層であり、  前記剥離シート部の上下のシートには、それらの対向面にそれぞれ当該上下のシートに剥離不能で、かつ、前記粘着剤層に対し剥離可能な前記第１および第２剥離層が積層され、  前記上シートの上面には上記つづら折り状態で折り重ねられる部分に上粘着剤層が積層され、  前記下シートの下面には上記つづら折り状態で折り重ねられる部分に下粘着剤層が積層され、  互いに折り重なる状態の剥離シート部を情報記載部から開き、その剥離シート部における第１剥離層をこれに接する前記粘着剤層から剥離した状態で前記折り位置を境にして前記シート本体を折り重ねることにより、前記剥離シート部で前記粘着剤層を介して前記情報記載面を被覆することができるようになっており、  前記上粘着剤層間の粘着力および前記下粘着剤層間の粘着力をＦ１′、  前記粘着剤層と前記第１および第２剥離層との間の粘着力をＦ２′、  前記情報記載部の情報記載面と、前記第１剥離層が前記粘着剤層から剥離されることにより暴露される当該粘着剤層との間の、上粘着剤層を介した又は介さない粘着力をＦ３′とした場合、  Ｆ３′＞Ｆ２′＞Ｆ１′の関係が成立し、  前記第１および第２剥離層は、前記粘着剤層から一旦剥離された後は、再粘着不能であることを特徴とする通信シート。
【発明の詳細な説明】
【技術分野】
【０００１】
本発明は、例えば住所、氏名やＩＤ、暗証番号などの個人情報等を遣り取りする郵便はがきなどの通信シートに関するものである。
【背景技術】
【０００２】
従来、住所や氏名、さらにはＩＤや暗証番号などの個人情報等を遣り取りするための郵便はがきなどの通信シートが知られている。かかる通信シートは、通信内容が記載可能な通信片と、この通信片の記載面に粘着される被覆シートとを備えてなるものが一般的である。
【０００３】
このような通信シートにおいて、被覆シートは、その片面に積層された微粘着層と、この粘着層を覆うよう積層された剥離紙とを備えて３層構造で形成されている。そして、剥離シートの使用に当たっては、剥離紙を微粘着層から剥がし、露出した微粘着層を、通信片に粘着させることが行われる。こうすることで通信片の通信内容記載面に記載された氏名やＩＤ、暗証番号などの個人情報が被覆シートによって覆われるため、これらの個人情報が第三者により読み取られることを防止することができる。
【０００４】
このような通信シートとして、例えば、特許文献１に記載されているような往復郵便葉書を挙げることができる。すなわち、特許文献１に記載の往復郵便葉書は、一面に往信時宛名表示領域が設けられるとともに他面に往信時情報領域が設けられた往信用葉書片と、一面に返信時宛名表示領域が設けられるとともに他面に返信時情報領域が設けられた返信用葉書片と、この返信用葉書片と往信用葉書片との間に折部を介して連設された連結片とを備えている。
【０００５】
これら往信用紙片、返信用紙片および連結片からなる往復郵便葉書は、各紙片間の隣接位置を境にしてつづら状になるようにいわゆるＺ折りされる。そして、往信用葉書片と連結片との重ね合わせ面および連結片と返信用葉書片との重ね合わせ面にそれぞれ剥離可能な粘着剤層が形成されている。かかる粘着剤層には、隠蔽ラベルが粘着されている。この隠蔽ラベルは、引き剥がされて個人情報が記載された返信用葉書片の情報記載領域に粘着される。こうすることで、返信用葉書片に記載された個人情報等の漏洩を防止することができる。
【特許文献１】特開２００４−１２２６６６号公報
【発明の開示】
【発明が解決しようとする課題】
【０００６】
しかしながら、特許文献１に開示されているような通信シートにおいては、粘着層として、再接着可能な微粘着層を用いているので、第三者が、通信経路の途上で被覆シートを通信片から剥がして個人データにかかる通信内容を読み取ったり、上から書き込むなどの改ざんを行なったりしても、被覆シートが通信片に対して再接着されると通信経路の途上で開封されたことがわからないという不具合があった。
【０００７】
一方、同様の通信シートの技術として、周辺部分に再接着が困難な強粘着層を設けるとともに、その他の大部分に微粘着層を設け、この強粘着層と微粘着層とを備えた隠蔽ラベルで通信片の通信内容記載面を覆うように構成した通信シートも一般に知られている。
【０００８】
このような通信シートでは、第三者が、通信経路の途上で隠蔽ラベルを通信片から剥がした場合は、周辺の強粘着層の部分で痕跡が残るので、開封されたことがわかるという利点がある。しかしこのような通信シートでは周辺に強粘着層を形成させなければならず、記載可能範囲が狭められるという不具合があった。また、通信内容記載面において微粘着層に相当する部分では、上から書き込むなどの改ざんを行なうことが可能であるという不具合も存在した。
【０００９】
これらに加え、シート本体に隠蔽ラベルが貼着されてなる従来の通信シートは、シート本体と隠蔽ラベルとの間に段差が形成された状態になっている。従って、かかる通信シートの複数枚を積層してシート束とし、このシート束をプリンタや複写機、さらには郵便自動振分機のようなソーティングマシン等のシート処理装置に装填し、当該シート束から１枚ずつの通信シートを繰り出させながら各通信シートに所定の処理を施すような場合、前記段差が邪魔になって（具体的には、例えば段差がシート処理装置内の各種の機器と干渉して隠蔽ラベルが剥がれたりして）通信シートに適正な処理を施すことができなくなるというような問題点も存在する。
【００１０】
本発明は、従来の上記のような状況に鑑みなされたものであって、各種の用紙処理装置において不都合なく処理することが可能であり、しかも、通信経路の途上で隠蔽ラベル（被覆シート）が通信片から剥がされた場合の第三者による上からの書き込みや改ざんを防止するとともに、隠蔽ラベルの通信片に対する再接着を不能にして通信経路の途上で開封されたことが一目瞭然となるようにすることができる記載可能範囲の広い通信シートを提供することを目的としている。
【課題を解決するための手段】
【００１１】
請求項１記載の発明は、情報が記載され、送付することにより当該情報を伝達する通信シートであって、所定の下シートと、この下シートに積層される中間層と、この中間層に積層される上シートとによって一枚物のシート本体が形成され、前記シート本体は、所定の折り位置を境にして少なくとも二つ折りされるように構成され、前記シート本体の折り位置を境にした一方側の中間層は、前記上下のシートを剥離可能に粘着する透明な粘着剤層を含むものであるとともに、同他方側の中間層は、前記上下のシートを剥離不能に接着する接着剤層であり、前記シート本体の前記折り位置を境にした他方側で情報記載部が形成される一方、同一方側で前記情報記載部の情報記載面を被覆するための被覆部が形成され、前記一方側における上下のシートのいずれかを前記粘着剤層から剥離した状態で前記折り位置を境にして前記シート本体を折り重ねることにより、前記被覆部が前記粘着剤層を介して前記情報記載面を被覆することを特徴とするものである。
【００１２】
かかる構成によれば、一枚物のシート本体の構成要素である上シートと下シートとの間には中間層が介設され、この中間層は、少なくとも所定の折り位置を挟んで一方側に設けられた当該上下のシートを剥離可能に粘着する粘着剤層と、同他方側に設けられた当該上下のシートを剥離不能に接着する接着剤層とを有しているため、通信シートの使用目的に応じてこれら粘着剤層と接着剤層との設置位置を適正に設定することにより、上下のシートのいずれか一方側を、粘着剤層を介して情報記載面に粘着される被覆部として使用することが可能であり、これにより当該通信シートは、第三者に知られたくない個人情報等を特定の相手先へ送付するための手段として有効に使用することができる。
【００１３】
そして、このような通信シートは、シート本体が上下のシート間に中間層が介設された少なくとも３層構造の一枚物のシートで形成されているため、当該シート本体の表裏面のいずれにも段差が存在せず、従って、このようなシート本体は、各種の用紙処理装置において不都合なく処理される。
【００１４】
請求項２記載の発明は、請求項１記載の発明において、前記シート本体は、１箇所の前記折り位置を境にして二つ折りされるものであり、前記被覆部の上下のシートには、それらの対向面にそれぞれ当該上下のシートに剥離不能で、かつ、前記粘着剤層に対し剥離可能な第１および第２剥離層が積層され、前記第１剥離層と前記粘着剤層との間の粘着力をＦ１、前記第２剥離層と前記粘着剤層との間の粘着力をＦ２、前記第１剥離層が前記粘着剤層から剥離されることによって前記被覆部に対応する上シートが粘着剤層から外され、かつ、シート本体が二つ折りされることによって粘着剤層が前記情報記載部に対応する上シートに粘着された状態における粘着剤層と上シートとの粘着力をＦ３とした場合、「Ｆ３＞Ｆ２＞Ｆ１」の関係が成立し、前記第１および第２剥離層は、前記粘着剤層から一旦剥離された後は、再粘着不能であることを特徴とするものである。
【００１５】
かかる構成によれば、接着剤層に対応した上シートの表面側を情報記載部として使用し、この情報記載部に所定の情報を記載した後、粘着剤層に対応した上シートを剥がすことにより、第１剥離層と粘着剤層との間の粘着力Ｆ１が他の粘着力Ｆ２およびＦ３に比べて弱く設定されているため、第１剥離層が上シート側に粘着した状態で当該上シートの略半分が粘着剤層から剥がされ、これによって粘着剤層が外部に露出した状態になる。
【００１６】
この状態で下シートを接着剤層と粘着剤層との境界位置で折り曲げて粘着剤層を残った上シートに粘着させることにより、上シートの表面に形成された情報記載部が第２シートによって被覆される。これによって下シートを上シートから剥がさない限り情報記載部に記載された情報が秘匿される。
【００１７】
そして、情報記載部に記載された情報を視認するためには、第２剥離層および粘着剤層を介して上シートに粘着された下シートを上シートから引き剥がせばよい。この場合、上シートと粘着剤層との間の粘着力Ｆ３は、第２剥離層と粘着剤層との間の粘着力Ｆ２より大きいため、下シートは、粘着剤層を上シートに残した状態で第２剥離層とともに上シートから剥離され、これによって上シートの情報記載部に記載された情報は、透明な粘着剤層を介して視認される。
【００１８】
そして、上シートから下シートが剥がされた状態においては、情報記載部に粘着剤層が積層されているため、粘着剤層は、通常、筆記具により書き込みを行うことができるものではなく、従って、記載事項が第三者により改ざんされるような不都合の生じることがない。
【００１９】
また、第２剥離層は、前記粘着剤層から一旦剥離された後は、再粘着不能とされているため、第三者によって上シートが情報記載部から剥がされ、情報が第三者により盗み見されたときには、予め上下のシートが剥がれていることからそのことが即座に認識される。
【００２０】
従って、このような場合には、記載された住所、氏名やＩＤ、暗証番号などの個人データ等の情報を即座に変更するなどの敏速な対応が可能になる。
【００２１】
そして、引き剥がした時に痕跡が残るような強粘着層を隠蔽シート片の周辺に設けるというようなことがないので、記載可能な範囲が広い情報記載部を備えた通信シートを得ることができる。
【００２２】
請求項３記載の発明は、請求項１または２記載の発明において、前記上シートには、前記情報記載部と前記被覆部との境界位置にミシン目が設けられていることを特徴とするものである。
【００２３】
かかる構成によれば、上シートの粘着剤層側の半分は、ミシン目に沿って容易に切り離される。
【００２４】
請求項４記載の発明は、請求項２または３記載の発明において、前記下シートの表面側であって、少なくとも前記粘着剤層に対応した部分には、透かし防止のための隠蔽デザイン模様が印刷されていることを特徴とするものである。
【００２５】
かかる構成によれば、通信経路の途上で記載された住所、氏名やＩＤ、暗証番号などの個人データが第三者により透かし読みされることが有効に防止される。
【００２６】
請求項５記載の発明は、請求項１乃至４のいずれかに記載に発明において、往復葉書として利用されることを特徴とするものである。
【００２７】
かかる構成によれば、往復葉書に、住所、例えば氏名やＩＤ、暗証番号などの個人データからなる秘密情報が記載された場合における当該往復葉書の秘密保持性が向上する。
【００２８】
請求項６記載の発明は、情報が記載され、送付することにより当該情報を伝達する通信シートであって、所定の下シートと、この下シートに積層される中間層と、この中間層に積層される上シートとによって一枚物のシート本体が形成され、前記シート本体は、２箇所の折り位置を境にしてつづら折りで三つ折りされ、被覆部、情報記載部および剥離シート部が間に折り位置を挟みかつ剥離シート部が前記情報記載部と隣接するように設けられ、前記剥離シート部の前記中間層は、上下のシートを剥離可能に粘着し得る透明な粘着剤層と、この粘着剤層を挟み前記粘着剤層に対し剥離可能な第１および第２剥離層とを有するものであり、前記情報記載部及び前記被覆部の中間層は、前記上下のシートを剥離不能に接着する接着剤層であり、前記剥離シート部の上下のシートには、それらの対向面にそれぞれ当該上下のシートに剥離不能で、かつ、前記粘着剤層に対し剥離可能な前記第１および第２剥離層が積層され、前記上シートの上面には上記つづら折り状態で折り重ねられる部分に上粘着剤層が積層され、前記下シートの下面には上記つづら折り状態で折り重ねられる部分に下粘着剤層が積層され、互いに折り重なる状態の剥離シート部を情報記載部から開き、その剥離シート部における第１剥離層をこれに接する前記粘着剤層から剥離した状態で前記折り位置を境にして前記シート本体を折り重ねることにより、前記剥離シート部で前記粘着剤層を介して前記情報記載面を被覆することができるようになっており、前記上粘着剤層間の粘着力および前記下粘着剤層間の粘着力をＦ１′、前記粘着剤層と前記第１および第２剥離層との間の粘着力をＦ２′、前記情報記載部の情報記載面と、前記上粘着剤層が前記粘着剤層から剥離されることにより暴露される当該粘着剤層との間の、上粘着剤層を介した又は介さない粘着力をＦ３′とした場合、Ｆ３′＞Ｆ２′＞Ｆ１′の関係が成立し、前記第１および第２剥離層は、前記粘着剤層から一旦剥離された後は、再粘着不能であることを特徴とするものである。
【００２９】
かかる構成によれば、シート本体の構成要素である上シートと下シートとの間に中間層としての接着剤層が介設されることで剥離不能に形成された被覆部および情報記載部は、上シートと下シートとの間に中間層としての剥離層が介設されてなる剥離シート部とともに互いに連設されて一枚物として形成されているため、この状態のシート本体は、所定の画像形成や印刷などの用紙処理装置により支障なく処理することができる。
【００３０】
このようなシート本体を備えた通信シートを実際に通信用に使用するに際しては、被覆部および情報記載部をつづら状のＺ折りで折り重ねられる。これにより通信シートは、上下の粘着剤層を介してＺ折り状態が維持されて送付に適したコンパクトな状態になる。
【００３１】
そして、剥離層は、上シートに剥離不能に積層された上剥離層と、下シートに剥離可能に積層された下シートと、上剥離層および下シート間に介設された粘着剤層とを備えているとともに、上粘着剤層間の粘着力および下粘着剤層間の粘着力をＦ１′、粘着剤層と第１および第２剥離層との間の粘着力をＦ２、情報記載部の記載面と粘着剤層との間の粘着力を上粘着剤層の存否に拘わらずＦ３′とした場合、「Ｆ３′＞Ｆ２′＞Ｆ１′」の関係が成立するようになされているため、通信シートの受領者がＺ折りされたシート本体を開いていくと、最初に粘着力が最も弱いＦ１′の下粘着剤層が剥離されて往信用葉書部１２が剥離シート部１４から外れ、この状態で粘着剤層に粘着していた第２剥離層も外れ、これによって剥離シート部の粘着材層が暴露された状態になる。
【００３２】
この状態で当該剥離シート部を情報記載部の記載面へ向けて折り返すことにより、当該記載面が粘着部を介して被覆部によって覆われ、これによって情報記載面に記載されている情報が隠蔽される。
【００３３】
この状態の通信シートにおいて、情報記載面から被覆部を剥離しようとすると、粘着剤層と第１および第２剥離層との間の粘着力Ｆ２′が、情報記載部の記載面と粘着剤層との間の粘着力をＦ３′より小さいため、透明な粘着剤層が情報記載部の記載面に粘着されたままになる。従って、記載面に記載されている情報を粘着剤層を介して視認することができるが、この粘着剤層が邪魔をして情報の改ざんを行うことができなくなる。
【００３４】
また、第１および第２剥離層は、粘着剤層から一旦剥離された後は、再粘着不能とされているため、第三者によって上シートが情報記載部から剥がされ、情報が第三者により盗み見されたときには、予め上下のシートが剥がれていることからそのことが即座に認識される。
【００３５】
従って、このような場合には、記載された住所、氏名やＩＤ、暗証番号などの個人データ等の情報を即座に変更するなどの敏速な対応が可能になる。
【発明の効果】
【００３６】
本発明に係る通信シートによれば、シート本体は、上下のシート間に粘着剤層や接着剤層を備えてなる中間層が介設された少なくとも３層構造ではあるがこれらが一体化された一枚物のシートによって形成されているため、当該シート本体の表裏面のいずれにも段差が存在せず、従って、シート本体の複数枚を積層してシート束とし、このシート束をプリンタや複写機、さらには郵便自動振分機のようなソーティングマシン等のシート処理装置に装填し、当該シート束から１枚ずつのシート本体を繰り出させながら各シート本体に所定の処理を施すような場合、各種の用紙処理装置において不都合なく処理することが可能になり、シート本体の処理の大幅な効率化を達成することができる。
【発明を実施するための最良の形態】
【００３７】
図１および図２は、本発明に係る通信シートの第１実施形態としての往復郵便葉書を示す斜視図であり、図１は、往信用の宛名書きの面が見えるようにした図、図２は、図１の往復郵便葉書を表裏反転させた図であって、返信用の宛名書きの面が見えるようにした図である。また、図３は、図１のIII−III線断面図である。なお、図１〜図３においては、視認し易くするために葉書の厚み寸法を誇張して示している。また、図１〜図３においてＸ方向は横方向または左右方向を示し、Ｙ方向は縦方向または前後方向を示し、Ｚ方向は上下方向または厚み方向をそれぞれ示す。そして特に−Ｘを左方、＋Ｘを右方、−Ｙを前方、＋Ｙを後方、−Ｚを下方、＋Ｚを上方という。なお、図２では、左右方向および上下方向が図１のこれらの方向に対し逆転している。
【００３８】
まず、図１に示すように、往復郵便葉書（通信シート）１０は、上方（＋Ｚ方向）から見た平面視で左右方向に長尺の長方形状を呈している。かかる往復郵便葉書１０は、葉書本体（シート本体）１１と、この葉書本体１１に付設された綴り部１９とを備えて構成されている。そして、当該葉書本体１１の長辺側の中央部に前後方向に延びるように形成されたミシン目１０１を境にして葉書本体１１と相似形の定形物としての往信用葉書部（被覆部）１２および返信用葉書部（情報記載部）１３がそれぞれ形成されるようになっている。第１実施形態では、葉書本体１１における前記ミシン目１０１の位置に本発明に係る１個所の折り位置が設定されている。
【００３９】
前記往信用葉書部１２の上面には、図１に示すように、往復郵便葉書１０の受領者の宛先記載欄１２１が設定され、この宛先記載欄１２１に郵便番号、住所および氏名等が手書きあるいは印字によって記載される。これに対し返信用葉書部１３の上面には情報記載面１３１が設定されている。この情報記載面１３１には、往復郵便葉書１０の受領者が書き込むべき欄が設けられている。受領者は、この欄に住所、氏名等の所定の記載事項を書き込むことになる。
【００４０】
前記往信用葉書部１２の下面には、図２に示すように、所定の隠蔽デザイン模様１２２が印刷されている。この隠蔽デザイン模様１２２は、後に葉書本体１１が二つ折りされて往信用葉書部１２により返信用葉書部１３の情報記載面１３１が被覆された状態で、情報記載面１３１に記載されている情報が透かし見られるのを防止するためのものである。
【００４１】
また、返信用葉書部１３の下面には返信葉書宛先欄１３２（図２）が設定され、この返信葉書宛先欄１３２に返信葉書の送付先が手書きまたは印字で記載されている。返信用葉書は、この送付先に基づき往復郵便葉書１０の発信者へ返送されることになる。
【００４２】
前記綴り部１９は、往復郵便葉書１０の発信者の元へ返送されてきた返信葉書の返信用葉書部１３を所定のファイルボードにファイリングするためのものであり、葉書本体１１の返信用葉書部１３の左端縁部からミシン目１９１を介して連設されている。かかる綴り部１９には、前後方向に向けて１列で並設された複数の綴り孔１９２が穿設され、これらの綴り孔１９２のいずれかにファイルボードの係止金具が差し通されて係止された状態で返信葉書が保管される。
【００４３】
このような往復郵便葉書１０は、複数の材料が積層されてなる積層構造を備えている。以下、図３を基に、必要に応じて図１および図２を参照しながら、往復郵便葉書１０の積層構造について説明する。
【００４４】
図３に示すように、かかる往復郵便葉書１０は、通常の紙製品からなる上シート２０と、この上シート２０と同様の下シート３０と、これら上下のシート２０，３０間に積層状態で介設された中間層４０とを備え、これらが互いに密着されることによって一枚物のシートとして形成されている。
【００４５】
前記中間層４０は、前記往信用葉書部１２に対応する部分が粘着剤および剥離層を介して剥離可能に粘着された剥離層５０によって形成されているのに対し、前記返信用葉書部１３に対応する部分が接着剤層６０によって形成されている。
【００４６】
前記剥離層５０は、基本的に剥離可能に上シート２０と下シート３０との間に介設されている。かかる剥離層５０は、上シート２０の下面に一体的に積層された第１剥離層５１と、下シート３０の上面に一体的に積層された第２剥離層５２と、これら第１および第２剥離層５１，５２間に介設された粘着剤層５３とからなっている。
【００４７】
そして、往信用葉書部１２に対応した上シート２０を下シート３０から剥がしたときには、上シート２０および第１剥離層５１間並びに下シート３０および第２剥離層５２間が剥離されることがなく、第１剥離層５１と粘着剤層５３との間、または第２剥離層５２と粘着剤層５３との間が剥離されるように各粘着力が設定されている。
【００４８】
これに対し前記接着剤層６０は、上シート２０および下シート３０を剥離不能に一体的に接着する所定の接着剤によって形成されている。なお、この接着剤層６０は、綴り部１９にまで及んで形成されている。従って、往復郵便葉書１０において往信用葉書部１２側の上シート２０は、下シート３０に対して容易に剥がすことができるのに対し、返信用葉書部１３側の上シート２０を下シート３０から剥がすことができない。
【００４９】
前記第１および第２剥離層５１，５２としては、硬化することにより上下のシート２０，３０に対し剥離不能になるが、粘着剤層５３に対して剥離可能な面が形成される各種の材料が採用される。本実施形態においては、第１および第２剥離層５１，５２の材料として感光性樹脂や感光性モノマーに光重合開始剤、離型性向上のためのシリコン剤やワックス等、さらにはレベリング剤や安定剤などの補助剤が添加されてなる、いわゆるＵＶインキが採用されている。
【００５０】
また、前記粘着剤層５３としては、本実施形態ではアクリル系エマルジョン型粘着剤、アクリル系用剤型粘着剤やシリコン系粘着剤などが用いられている。これらの粘着剤をフレキソ印刷などにより塗布して、下シート３０の第２剥離層５２上に積層させるようにしている。
【００５１】
また、前記接着剤層６０としては、本実施形態ではＥＶＡ（エチレン酢酸ビニル共重合体）、ポリアミド、ポリエステル、ポリプロピレン等からなる、融点が１５０℃〜２００℃のホットメルト接着剤が採用されている。
【００５２】
そして、下シート３０の往信用葉書部１２に対応した部分に第２剥離層５２および粘着剤層５３が順次積層された状態で、下シート３０の返信用葉書部１３および綴り部１９に対応する部分にホットメルト接着剤が積層され、これらの上に上シート２０が被せられ、引き続きプレス処理が施された状態で光照射処理や加熱処理が施されることにより、往復郵便葉書１０が製造される。
【００５３】
そして、本発明においては、第１剥離層５１と粘着剤層５３との間の粘着力をＦ１（図４（Ａ））、第２剥離層５２と粘着剤層５３との間の粘着力をＦ２（図４（Ａ））、第１剥離層５１が粘着剤層５３から剥離されることによって上シート２０の往信用葉書部１２に対応する部分が粘着剤層５３から剥がされ、かつ、下シート３０がミシン目１０１の位置を境にして二つ折りされることによって粘着剤層５３が上シート２０の上シート２０の上面に粘着された状態における粘着剤層５３と上シート２０との間の粘着力をＦ３（図４（Ｃ））とした場合、
Ｆ３＞Ｆ２＞Ｆ１・・・・「１」
という関係が成立するように、それぞれの粘着力が設定されている。因みに、第１および第２剥離層５１，５２については、それぞれの構成要素の配合割合を異ならせることにより、「Ｆ２＞Ｆ１」の関係を満足させるようにしている。また、粘着剤層５３と上シート２０との間の粘着力は、両者の間に剥離層が介設されていない分、自ずから粘着力は非常に大きな値となり、結果として前記「１」式の関係が成立している。
【００５４】
具体的には、Ｆ１が１００ｇ〜２９０ｇに設定され、Ｆ２が３００ｇ〜６００ｇに設定され、Ｆ３は、１０００ｇ〜１４００ｇに設定されている。因みに、これらの粘着力は、常温下で、幅２５ｍｍの試料を用いて剥離速度３００ｍｍ／ｍｉｎの１８０度ピールテストで測定した場合の値である。
【００５５】
図４は、第１実施形態に係る往復郵便葉書１０の作用を説明するための説明図であり、図４（Ａ）は、発送者から送られた往復郵便葉書１０が受領者に受領された直後の状態、図４（Ｂ）は、上シート２０の往信用葉書部１２に対応した部分が剥がされた状態、図４（Ｃ）は、下シート３０の往信用葉書部１２に対応した部分が上シート２０の返信用葉書部１３に対応した部分に向けて折り返されて粘着された状態、図４（Ｄ）は、下シート３０が上シート２０から剥がされた状態をそれぞれ示している。なお、図４におけるＸおよびＺによる方向表示は、図１の場合と同様（−Ｘ：左方、＋Ｘ：右方、−Ｚ：下方、＋Ｚ：上方）である。
【００５６】
まず、図４（Ａ）に示すように、発送者から発送された往復郵便葉書１０が受領者によって受領された直後には、当該往復郵便葉書１０は、単に１枚のシートとしての状態を保持している。この状態において、受領者は、上シート２０における返信用葉書部１３に対応した部分の情報記載面１３１に住所、氏名などの所定の個人情報を記入する。
【００５７】
ついで、受領者が上シート２０の往信用葉書部１２に対応した部分を剥がすと、当該上シート２０の第１剥離層５１と粘着剤層５３との間の粘着力Ｆ１は、第２剥離層５２と粘着剤層５３との間の粘着力Ｆ２よりも小さく設定されているため、第２剥離層５２と粘着剤層５３との間が剥がれることはなく、第１剥離層５１と粘着剤層５３との間が剥がされ、これによって上シート２０の往信用葉書部１２に対応した部分、すなわち、上シート２０におけるミシン目１０１の右側の部分が、図４（Ｂ）に示すように、往復郵便葉書１０から取り除かれることになる。
【００５８】
この状態で、受領者は、下シート３０の右半分の部分を、返信用葉書部１３へ向けて折り返す。こうすることによって、図４（Ｃ）に示すように、粘着剤層５３が返信用葉書部１３の上シート２０に粘着され、情報記載面１３１が下シート３０の右半分の部分によって覆われた状態になるため、情報記載面１３１に記載された個人情報が第三者によって読み取られるような不都合の発生が有効に防止される。
【００５９】
そして、往復郵便葉書１０の受領者は、この状態の往復郵便葉書１０を返信用の葉書として郵便ポストに投函することになる。発送者の元に返送された返信用の葉書は、その下シート３０が上シート２０から剥がされる。このとき、粘着剤層５３の上シート２０に対する粘着力Ｆ３は、第２剥離層５２の粘着剤層５３に対する粘着力Ｆ２より大きいため、粘着剤層５３が上シート２０から剥がされることはない。従って、第２剥離層５２が粘着剤層５３から剥がされるため、上シート２０の情報記載面１３１は、図４（Ｄ）に示すように、透明な粘着剤層５３によって被覆されたままの状態になる。粘着剤層５３は、透明な材料によって形成されているため、当該粘着剤層５３を介して情報記載面１３１に記載されている情報を読むことができる。
【００６０】
そして、情報記載面１３１は、粘着剤層５３によって被覆されているため、当該情報記載面１３１へ新たに書き込みを行ったり、すでに記載されている内容を変更したりすることは実質的に不可能になるため、データの改ざんを確実に防止することができる。
【００６１】
また、返信用の葉書が発送者に返送されるまでの間に第三者によって上シート２０から下シート３０が剥がされてしまっているような場合には、一旦剥がされた第２剥離層５２は再粘着が不能であるため、剥がされたことを知ることができ、登録された暗証番号等の秘密情報を変更する手続を即座に採ることができる。
【００６２】
図５および図６は、本発明に係る通信シートの第２実施形態としての往復郵便葉書を示す斜視図であり、図５は、往信用および返信用の宛名書きの面が見えるようにした図、図６は、図５の往復郵便葉書を表裏反転させた図である。また、図７は、図５のＶII−ＶII線断面図である。なお、図５〜図７においては、視認し易くするために葉書の厚み寸法を誇張して示している。また、図５〜図７においてＸ方向は横方向または左右方向を示し、Ｙ方向は縦方向または前後方向を示し、Ｚ方向は上下方向または厚み方向をそれぞれ示す。そして特に−Ｘを左方、＋Ｘを右方、−Ｙを前方、＋Ｙを後方、−Ｚを下方、＋Ｚを上方という。なお、図６では、左右方向および上下方向が図５のこれらの方向に対し逆転している。
【００６３】
まず、図５に示すように、第２実施形態に係る往復郵便葉書１０′は、第１実施形態の綴り部１９に対応するものが設けられず、葉書本体１１と剥離シート部１４とを備えて構成されている。剥離シート部１４は、剥離専用のシートが設けられる部分であり、返信用葉書部１３の右側に連設されている。
【００６４】  そして、往信用葉書部１２と返信用葉書部１３との境界位置には切れ目１０３が設けられているとともに、返信用葉書部１３と剥離シート部１４との境界位置には折り目１０２が形成されている。往信用葉書部１２と返信用葉書部１３とは、図５において切れ目１０３を介して山折りに折られるのに対し、返信用葉書部１３と剥離シート部１４とは、図５において折り目１０２を介して谷折りに折られるようになっている。【００６５】
また、往信用葉書部１２おける送り先の宛名が記載される宛先記載欄１２１および返信葉書宛先欄１３２における各種の返信用の情報が記載される情報記載面１３１は、図５に示すように葉書本体１１における往信用葉書部１２および返信用葉書部１３の上面側にそれぞれ設定されている。これに対し、往信用葉書部１２における各種の往信用の情報を記載する送信情報記載面１２３および返信用葉書部１３における宛先が記載される返信葉書宛先欄１３２は、図６に示すように往信用葉書部１２の下面側および返信葉書宛先欄（情報記載面）１３２の下面側にそれぞれ設定されている。
【００６６】
このような往復郵便葉書１０′は、上シート２０と、下シート３０と、これら上下のシート２０，３０間に介設された中間層４０とからなる積層構造を備え、一枚物のシートによって構成されている点で第１実施形態の往復郵便葉書１０と同様である。これらに加え、第２実施形態の往復郵便葉書１０′においては、返信用葉書部１３および剥離シート部１４に対応した上シート２０にさらに上粘着剤層８０（図５）が積層されているとともに、往信用葉書部１２および返信用葉書部１３に対応した下シート３０にさらに下粘着剤層９０が積層されている。
【００６７】
前記中間層４０は、剥離シート部１４に対応した部分に形成された剥離層５０と、往信用葉書部１２および返信用葉書部１３に対応した部分に形成された第１実施形態と同様の接着剤層６０とを備えている。往信用葉書部１２および返信用葉書部１３は、接着剤層６０によって上シート２０および下シート３０が剥離不能に一体化されている。
【００６８】
前記剥離層５０は、上シート２０の剥離シート部１４に対応した部分に剥離不能に積層される第１剥離層５１と、下シート３０の剥離シート部１４に対応した部分の上面側に剥離不能に積層される第２剥離層５２と、この前記第２剥離層５２と第１剥離層５１との間に介設された粘着剤層５３とを備えている。
【００６９】
そして、第２実施形態の往復郵便葉書１０′にあっては、上粘着剤層８０および下粘着剤層９０の粘着力Ｆ１′は、粘着剤層５３と第１剥離層５１との間の粘着力Ｆ２′より小さく設定されている。また、粘着剤層５３と第１剥離層５１との間の粘着力Ｆ２′は、粘着剤層５３と上シート２０の上粘着剤層８０を介した情報記載面１３１との間の粘着力Ｆ３′よりも小さく設定されている。すなわち、粘着力Ｆ１′、Ｆ２′およびＦ３′間には、
Ｆ３′＞Ｆ２′＞Ｆ１′・・・・「２」
という関係が成立している。
【００７０】
以下、図８を基に、必要に応じて他の図面も参照しながら第２実施形態に係る往復郵便葉書１０′の作用について説明する。図８は、第２実施形態に係る往復郵便葉書１０′の作用を説明するための説明図であり、図８（Ａ）は、往復郵便葉書１０′が折り畳まれて発送された状態、図８（Ｂ）は、葉書本体１１において往信用葉書部１２が分離されるとともに剥離シート部１４の上シート２０が剥がされた状態、図８（Ｃ）は、返信用葉書部１３の送信情報記載面１２３に情報が記載された後に剥離シート部１４が折り返されて情報記載面１３１が被覆された状態、図８（Ｄ）は、剥離シート部１４が返信用葉書部１３の情報記載面１３１から外された状態をそれぞれ示している。なお、図８におけるＸおよびＺによる方向表示は、図５の場合と同様（−Ｘ：左方、＋Ｘ：右方、−Ｚ：下方、＋Ｚ：上方）である。
【００７１】
まず、発送者が往復郵便葉書１０を受領者へ送付するときには、剥離シート部１４が図７における略水平姿勢を維持した状態で、往信用葉書部１２は、図７の左側の矢印で示すように、返信用葉書部１３との境界位置回りに反時計方向へ向けて回動されるとともに、剥離シート部１４は、図７の右側の矢印で示すように、返信用葉書部１３との境界位置回りに反時計方向へ回動される。これによって往復郵便葉書１０′は、図８（Ａ）に示すように、つづら状のＺ折りに折り重ねられた状態になっている。
【００７２】  この状態では、往信用葉書部１２の上に下粘着剤層９０を介して返信用葉書部１３が積層されているとともに、返信用葉書部１３の上に上粘着剤層８０を介して剥離シート部１４が積層されている。従って、返信用葉書部１３の情報記載面１３１は、Ｚ折りされた往復郵便葉書１０′において、剥離シート部１４により覆われて上粘着剤層８０により粘着された状態になっている。このような状態の往復郵便葉書１０′が受信者の元へ送付される。【００７３】
この往復郵便葉書１０′を受け取った受領者は、まず図８（Ｂ）に下方の白抜き矢印で示すように、往信用葉書部１２を返信用葉書部１３から剥がして完全に分離する。そうすると往信用葉書部１２の下シート３０の送信情報記載面１２３が暴露されるため、受領者は往信用葉書部１２の送信情報記載面１２３に記載されている情報を読むことができる。
【００７４】
引き続き図８（Ｂ）の上半分に示すように、剥離シート部１４を折り目１０２回りに時計方向へ開く。そうすると、返信用葉書部１３の情報記載面１３１が上粘着剤層８０を介して暴露されるため、受領者は、返信する意思があるとき当該情報記載面１３１に必要事項を記入することになる。
【００７５】
ついで受領者は、図８（Ｂ）の上方の白抜き矢印で示すように、上シート２０を剥離シート部１４から剥がす。こうすることによって剥離シート部１４は、粘着剤層５３が暴露された状態になる。
【００７６】
この状態で、受領者は、剥離シート部１４を折り目１０２回りに返信用葉書部１３の情報記載面１３１に向けて折り返す。こうすることによって、剥離シート部１４の粘着剤層５３が返信用葉書部１３の情報記載面１３１に上粘着剤層８０を介して粘着し、これによって情報記載面１３１は、図８（Ｃ）に示すように、剥離シート部１４によって覆われた状態になるため、情報記載面１３１に記載された情報の秘密保持が図られる。
【００７７】
そして、発送者は、返送されてきた図８（Ｃ）に示す状態になっている往復郵便葉書１０′の剥離シート部１４を返信用葉書部１３から剥がすことになるが、このとき、粘着剤層５３と上シート２０の情報記載面１３１との間の粘着力Ｆ３′は、上粘着剤層８０を介した当該粘着剤層５３と第１剥離層５１との間の粘着力Ｆ２′より大きく設定されているため、透明な粘着剤層５３は、図８（Ｄ）に示すように、返信用葉書部１３の情報記載面１３１に粘着したままとなり、これにより粘着剤層５３を介して情報記載面１３１の記載情報を視認することができる。
【００７８】
また、情報記載面１３１は、粘着剤層５３によって被覆されているため、情報記載面１３１に記載されている内容を改ざんすることができない。
【００７９】
以上詳述したように、第１および第２実施形態に係る往復郵便葉書１０，１０′は、記載された情報を、郵送することにより相手方に伝達するものであり、上シート２０，２０と下シート３０，３０との間に中間層４０，４０が積層介設されることによって形成されるものであり、中間層４０，４０は、その適所に上下のシートを剥離可能に粘着する粘着剤層５３と、上下のシートを剥離不能に接着する接着剤層６０とを有し、上シート２０，２０および下シート３０，３０のいずれか一方側の適所に情報記載面が設定され、情報記載面は、粘着剤層５３が積層された状態の相手方のシートの当該粘着剤層５３によって粘着されるように構成されている。
【００８０】
かかる構成によれば、上シート２０，２０と下シート３０，３０との間に介設される中間層４０，４０は、その適所に上下のシートを剥離可能に粘着する粘着剤層５３と上下のシートを剥離不能に接着する接着剤層６０とを有しているため、往復郵便葉書１０，１０′の使用目的に応じてこれら粘着剤層５３と接着剤層６０との設置位置を適正に設定することにより、上下のシートのいずれか一方側を、情報記載面に貼着される被覆シートとして使用することが可能であり、これにより当該往復郵便葉書１０，１０′は、第三者に知られたくない個人情報等を特定の相手先へ送付するための手段として有効に使用することができる。
【００８１】
そして、かかる往復郵便葉書１０，１０′は、上下のシート間に粘着剤層５３や接着剤層６０を備えてなる中間層４０，４０が介設された少なくとも３層構造ではあるがこれらが一体化された一枚物のシートによって形成されているため、当該往復郵便葉書１０，１０′の表裏面のいずれにも段差が存在せず、従って、往復郵便葉書１０，１０′の複数枚を積層してシート束とし、このシート束をプリンタや複写機、さらには郵便自動振分機のようなソーティングマシン等のシート処理装置に装填し、当該シート束から１枚ずつの往復郵便葉書１０，１０′を繰り出させながら各往復郵便葉書１０，１０′に所定の処理を施すような場合、各種の用紙処理装置において不都合なく処理することが可能になり、往復郵便葉書１０，１０′の処理の汎用性を大幅に向上させることができる。
【００８２】
本発明は、上記の実施形態に限定されるものではなく、以下の内容をも包含するものである。
【００８３】
（１）上記の実施形態においては、第１および第２剥離層５１，５２の材料として感光性樹脂や感光性モノマーに光重合開始剤、離型性向上のためのシリコン剤やワックス等、さらにはレベリング剤や安定剤などの補助剤が添加されてなる、いわゆるＵＶインキが採用されているが、本発明は、第１および第２剥離層５１，５２がかかるＵＶインキであることに限定される物ではなく、硬化することにより通常の紙製品である上下のシート２０，３０に対し剥離不能になるが、例えばアクリル系やシリコン系の粘着剤層５３に対して剥離可能になるような各種の粘着剤を採用することができる。
【００８４】
（２）上記の実施形態においては、前記粘着剤層５３の材料としてアクリル系エマルジョン型粘着剤、アクリル系用剤型粘着剤あるいはシリコン系粘着剤などが採用されているが、本発明は、粘着剤層５３の材料がアクリル系エマルジョン型粘着剤、アクリル系用剤型粘着剤あるいはシリコン系粘着剤であることに限定されるものではなく、第１および第２剥離層５１，５２を形成するための材料（例えばＵＶインキ）に対して剥離可能に粘着するものであればどのようなものでもよい。
【００８５】
（３）上記の実施形態においては、上下のシート２０，３０を剥離不能に接着する接着剤層６０としてＥＶＡ（エチレン酢酸ビニル共重合体）、ポリアミド、ポリエステル、ポリプロピレン等からなる、融点が１５０℃〜２００℃のホットメルト接着剤が採用されているが、本発明は、接着剤層６０がかかるホットメルト接着剤であることに限定されるものではなく、通常の紙製品である上下のシート２０，３０を剥離不能に接着し得る物であればどのようなものでもよい。
【００８６】
（４）上記の第２実施形態においては、往信用葉書部１２と返信用葉書部１３とが隣接された上で、剥離シート部１４が返信用葉書部１３に連設されているが、こうする代わりに剥離シート部１４を往信用葉書部１２と返信用葉書部１３との間に介設してもよい。
【図面の簡単な説明】
【００８７】
【図１】本発明に係る通信シートの第１実施形態としての往復郵便葉書を示す斜視図であり、往信用の宛名書きの面が見えるように示している。
【図２】図１に示す通信シートを上下反転させた状態を示す斜視図であり、返信用の宛名書きの面が見えるように示している。
【図３】図１のIII−III線断面図である。
【図４】第１実施形態に係る往復郵便葉書の作用を説明するための説明図であり、（Ａ）は、発送者から送られた往復郵便葉書が受領者に受領された直後の状態、（Ｂ）は、上シートの往信用葉書部に対応した部分が剥がされた状態、（Ｃ）は、下シートの往信用葉書部に対応した部分が上シートの返信用葉書部に対応した部分に向けて折り返されて粘着された状態、（Ｄ）は、下シートが上シートから剥がされた状態をそれぞれ示している。
【図５】本発明に係る通信シートの第２実施形態としての往復郵便葉書を示す斜視図である。
【図６】図５に示す通信シートを上下反転させた状態を示す斜視図である。
【図７】図５のＶII−ＶII線断面図である。
【図８】第２実施形態に係る往復郵便葉書の作用を説明するための説明図であり、（Ａ）は、往復郵便葉書が折り畳まれて発送された状態、（Ｂ）は、葉書本体において往信用葉書部が分離されるとともに剥離シート部の上シートが剥がされた状態、（Ｃ）は、返信用葉書部の送信情報記載面に情報が記載された後に剥離シート部が折り返されて返信情報記載面が被覆された状態、（Ｄ）は、剥離シート部が返信用葉書部の返信情報記載面から外された状態をそれぞれ示している。
【符号の説明】
【００８８】
１０，１０′  往復郵便葉書（通信シート）
１０１  ミシン目              １０２  折り目
１０３  切れ目                １１  葉書本体（シート本体）
１２  往信用葉書部（被覆部）  １２１  宛先記載欄
１２２  隠蔽デザイン模様      １２３  送信情報記載面
１３  返信用葉書部（情報記載部）
１３１  情報記載面            １３１ｇ  情報記載面
１３２  返信葉書宛先欄        １３３  返信情報記載面（情報記載面）
１４  剥離シート部            １９  綴り部
１９１  ミシン目              １９２  綴り孔
２０  上シート                ３０  下シート
４０，４０  中間層            ５０  剥離層
５１  第１剥離層              ５２  第２剥離層
５３  粘着剤層                ６０  接着剤層
８０  上粘着剤層              ９０  下粘着剤層
【図１】
0005086161.tif 000002
【図２】
0005086161.tif 000003
【図３】
0005086161.tif 000004
【図４】
0005086161.tif 000005
【図５】
0005086161.tif 000006
【図６】
0005086161.tif 000007
【図７】
0005086161.tif 000008
【図８】
0005086161.tif 000009